(57)【要約】【課題】  ３つの波長が異なるレーザー光を放射する３波長レーザーダイオードと１つの対物レンズとによって異なる規格の光ディスクに記録されている信号の読み出し動作を行う光ピックアップ装置を提供する。【解決手段】  第１光ディスクＤ１から反射される第１戻り光が照射される第１光検出器８と、第２光ディスクＤ２から反射される第２戻り光及び第３光ディスクＤ３から反射される第３戻り光が照射される第２光検出器１０を備え、３波長レーザーダイオード１から放射される全てのレーザー光を対物レンズ６方向へ反射させるとともに対物レンズ６を通して第１戻り光、第２戻り光及び第３戻り光が入射される光学素子として裏面反射型ハーフミラー３を使用し、該裏面反射型ハーフミラー３によって第１戻り光を第１光検出器８方向へ導くとともに第２戻り光及び第３戻り光を第２光検出器１０方向へ導くように構成する。【選択図】  図１
2011129226.tif 000002
【特許請求の範囲】
【請求項１】
第１光ディスクに記録されている信号の読み出し動作を行う第１波長の第１レーザー光を放射する第１レーザー素子、前記第１光ディスクと規格が異なる第２光ディスクＤ２に記録されている信号の読み出し動作を行うとともに前記第１波長より長い第２波長の第２レーザー光を放射する第２レーザー素子及び前記第１光ディスク、第２光ディスクと規格が異なる第３光ディスクに記録されている信号の読み出し動作を行うとともに第２波長より長い第３波長の第３レーザー光を放射する第３レーザー素子が同一のケース内に収納されている３波長レーザーダイオードと、該３波長レーザーダイオードから放射される第１、第２及び第３のレーザー光が同一の光路を通して入射されるとともに各レーザー光を各光ディスクに設けられている信号記録層に集光させる対物レンズと、第１光ディスクの信号記録層から反射される第１戻り光が照射される第１光検出器と、第２光ディスクに設けられている信号記録層から反射される第２戻り光及び第３光ディスクに設けられている信号記録層から反射される第３戻り光が照射される第２光検出器を備えた光ピックアップ装置であり、前記３波長レーザーダイオードから放射される全てのレーザー光を対物レンズ方向へ反射させるとともに対物レンズを通して第１戻り光、第２戻り光及び第３戻り光が入射される光学素子として裏面反射型ハーフミラーを使用し、該裏面反射型ハーフミラーによって第１戻り光を第１光検出器方向へ導くとともに第２戻り光及び第３戻り光を第２光検出器方向へ導くようにしたことを特徴とする光ピックアップ装置。
【請求項２】
裏面反射型ハーフミラーに設けられている裏面によって第１戻り光を反射させて第１光検出器方向へ導き、第２戻り光及び第３戻り光を前記裏面を透過させて第２光検出器に導くようにしたことを特徴とする請求項１に記載の光ピックアップ装置。
【請求項３】
第３レーザー素子から放射される第３レーザー光の光軸を対物レンズの光軸と一致させたことを特徴とする請求項１に記載の光ピックアップ装置。
【請求項４】
第２光検出器に第２戻り光を受光する第２戻り光用受光部と第３戻り光を受光する第３戻り光用受光部を設け、第２戻り光用受光部と第３戻り光用受光部との間の距離と３波長レーザーダイオードに収納されている第２レーザー素子と第３レーザー素子との間の距離とを同一にしたことを特徴とする請求項３に記載の光ピックアップ装置。
【発明の詳細な説明】
【技術分野】
【０００１】
本発明は、光ディスクに記録されている信号の読み出し動作や光ディスクへの信号の記録動作をレーザー光によって行う光ピックアップ装置に関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
光ディスク装置としては、ＣＤやＤＶＤと呼ばれる光ディスクを使用するものが一般に普及しているが、最近では記録密度を向上させた光ディスク、即ちＢｌｕ−ｒａｙ規格の光ディスクを使用するものが商品化されている。
【０００４】
ＣＤ規格の光ディスクに記録されている信号の読み出し動作を行うレーザー光としては、波長が７８５ｎｍである赤外光が使用され、ＤＶＤ規格の光ディスクに記録されている信号の読み出し動作行うレーザー光としては、波長が６６０ｎｍの赤色光が使用されている。
【０００５】
また、ＣＤ規格の光ディスクにおける信号記録層と光ディスクの表面との間に設けられている透明な保護層の厚さは１．２ｍｍであり、この信号記録層から信号の読み出し動作を行うために使用される対物レンズの開口数は、０．４７と設定されている。そして、ＤＶＤ規格の光ディスクにおける信号記録層と光ディスクの表面との間に設けられている透明な保護層の厚さは０．６ｍｍであり、この信号記録層から信号の読み出し動作を行うために使用される対物レンズの開口数は、０．６と設定されている。
【０００６】
斯かるＣＤ規格及びＤＶＤ規格の光ディスクに対して、Ｂｌｕ−ｒａｙ規格の光ディスクに記録されている信号の読み出し動作を行うレーザー光としては、波長が短いレーザー光、例えば波長が４０５ｎｍの青紫色光が使用されている。
【０００７】
そして、斯かるＢｌｕ−ｒａｙ規格の光ディスクにおける信号記録層の上面に設けられている保護層の厚さは、０．１ｍｍであり、この信号記録層から信号の読み出し動作を行うために使用される対物レンズの開口数は、０．８５と設定されている。
【０００８】
Ｂｌｕ−ｒａｙ規格の光ディスクに設けられている信号記録層に記録されている信号の読み出し動作や該信号記録層に信号を記録するためにレーザー光を集光させることによって生成されるレーザースポットの径を小さくする必要がある。所望のレーザースポット形状を得るために使用される対物レンズは、開口数が大きくなるだけでなく焦点距離が短くなるので、対物レンズの曲率半径が小さくなるという特徴がある。
【０００９】
前述したＣＤ規格、ＤＶＤ規格及びＢｌｕ−ｒａｙ規格の全ての光ディスクに記録されている信号の読み出し動作や記録動作を行うことが出来る光ディスク装置が製品化されているが、斯かる光ディスク装置に組み込まれる光ピックアップ装置には、前述した各規格に対応した波長のレーザー光を放射するレーザーダイオードや該レーザーダイオードから放射されるレーザー光を各光ディスクに設けられている信号記録層に集光させる対物レンズが組み込まれている。
【００１０】
前述した異なる全ての規格の光ディスクに記録されている信号の読み出し動作を行うこ
とが出来る光ピックアップ装置には、ＣＤ規格及びＤＶＤ規格の光ディスクに対するレーザー光の集光動作を行う対物レンズとＢｌｕ−ｒａｙ規格の光ディスクに対するレーザー光の集光動作を行う対物レンズの２つの対物レンズが組み込まれている。
【００１１】
斯かる２つの対物レンズが組み込まれた光ピックアップ装置は、光学系の構成が複雑になるという問題があるだけでなく光ピックアップ装置の形状が大きくなるという問題がある。斯かる問題を解決する方法として１つの対物レンズにて全ての規格の光ディスクに対するレーザー光の集光動作を行うようにした技術が開発されている。
【００１２】
また、波長が異なる第１レーザー光、第２レーザー光及び第３レーザー光を放射する発光素子が同一の筐体内に収納された半導体レーザーと、該半導体レーザーから放射される第１、第２及び第３レーザー光を規格の異なる３つの光ディスクに集光させる１つの対物レンズと、光ディスクから反射される戻り光が照射される１つの光検出器にて構成された光ピックアップ装置が特許文献１に記載されている。
【先行技術文献】
【特許文献】
【００１３】
【特許文献１】特開２００６−１７２６０８号公報
【発明の概要】
【発明が解決しようとする課題】
【００１４】
特許文献１に記載の光ピックアップ装置は、１つの半導体レーザー、１つの対物レンズ及び１つの光検出器によって規格の異なる３つの光ディスクに記録されている信号の読み出し動作を行うように構成されているが、光軸のずれを補正するための光軸補正素子を必要とするため構造が複雑になるだけでなく、高価になるという問題がある。
【００１５】
本発明は、斯かる問題を解決することが出来る光ピックアップ装置を提供しようとするものである。
【課題を解決するための手段】
【００１６】
本発明は、３波長レーザーダイオードから放射される第１、第２及び第３のレーザー光が同一の光路を通して入射されるとともに各レーザー光を各光ディスクに設けられている信号記録層に集光させる対物レンズと、第１光ディスクの信号記録層から反射される第１の戻り光が照射される第１光検出器と、第２光ディスクに設けられている信号記録層から反射される第２の戻り光及び第３光ディスクに設けられている信号記録層から反射される第３の戻り光が照射される第２光検出器を備え、前記３波長レーザーダイオードから放射される全てのレーザー光を対物レンズ方向へ反射させるとともに対物レンズを通して第１戻り光、第２戻り光及び第３戻り光が入射される光学素子として裏面反射型ハーフミラーを使用し、該裏面反射型ハーフミラーによって第１戻り光を第１光検出器方向へ導くとともに第２戻り光及び第３戻り光を第２光検出器方向へ導くようにしたことを特徴とするものである。
【００１７】
また、本発明は、裏面反射型ハーフミラーに設けられている裏面によって第１戻り光を反射させて第１光検出器方向へ導き、第２戻り光及び第３戻り光を前記裏面を透過させて第２光検出器に導くようにしたことを特徴とするものである。
【００１８】
そして、本発明は、第３レーザー素子から放射される第３レーザー光の光軸を対物レンズの光軸と一致させたことを特徴とするものである。
【００１９】
また、本発明は、第２光検出器に第２戻り光を受光する第２戻り光用受光部と第３戻り
光を受光する第３戻り光用受光部を設け、第２戻り光用受光部と第３戻り光用受光部との間の距離と３波長レーザーダイオードに収納されている第２レーザー素子と第３レーザー素子との間の距離とを同一にしたことを特徴とするものである。
【発明の効果】
【００２０】
本発明の光ピックアップ装置は、３波長レーザーダイオードから放射される３つのレーザー光を１つの対物レンズによって規格の異なる光ディスクの信号記録層に集光させるとともに裏面反射型のハーフミラーを使用して光ディスクから反射される戻り光を２つの光検出器方向に分離して導くようにしたので、光軸合わせをするための光軸補正素子を削除することが出来る。従って、本発明の光ピックアップ装置は、構成が簡単になるだけでなく安価にて製造することが出来る。
【図面の簡単な説明】
【００２１】
【図１】本発明に係る光ピックアップ装置の実施例を示す概略図である。
【図２】本発明に係る光ピックアップ装置に組み込まれる３波長レーザーダイオードを説明するための図である。
【図３】異なる波長のレーザー光の対物レンズの光軸に対する傾きとコマ収差量との関係を示す特性図である。
【図４】本発明に係る光ピックアップ装置に組み込まれる光検出器の受光部を示す平面図である。
【図５】本発明に係る光ピックアップ装置に組み込まれる光検出器の受光部を示す平面図である。
【発明を実施するための形態】
【００２２】
３波長レーザーダイオードから放射される波長が異なる３つのレーザー光を１つの対物レンズの集光動作によって異なる３つの規格の光ディスクに設けられている信号記録層への集光動作を行うとともに２つの光検出器へ照射される３つの戻り光を裏面反射型ハーフミラーによって分離させるように構成されている。
【実施例１】
【００２３】
図１において、１は例えば波長が４０５ｎｍの青紫色光である第１レーザー光を放射する第１レーザー素子、波長が６６０ｎｍの赤色光である第２レーザー光を放射する第２レーザー素子及び波長が７８５ｎｍの赤外光である第３レーザー光を放射する第３レーザー素子が同一のケース内に収納されている３波長レーザーダイオード、２は前記３波長レーザーダイオード１から放射される第１レーザー光、第２レーザー光及び第３レーザー光が入射される回折格子であり、第１レーザー光及び第３レーザー光を０次光であるメインビーム、＋１次光及び−１次光である２つのサブビームに分離する回折格子部と入射されるレーザー光をＳ方向の直線偏光光に変換する１／２波長板とより構成されている。
【００２４】
３は前記回折格子２を透過した第１レーザー光、第２レーザー光及び第３レーザー光が入射されるとともに該回折格子２を通して入射された全てのレーザー光を反射する表面３Ａ及び第１レーザー光の光ディスクＤからの反射光である第１戻り光のみを反射させる裏面３Ｂが形成されている裏面反射型ハーフミラーである。
【００２５】
４は前記裏面反射型ハーフミラー３の表面３Ａにて反射された第１レーザー光、第２レーザー光及び第３レーザー光が入射されるコリメートレンズであり、入射されるレーザー光を平行光に変換する作用を成すものである。５は前記コリメートレンズ４にて平行光に変換されたレーザー光が入射される位置に設けられている３波長対応の１／４波長板であり、入射されるレーザー光を直線偏光光から円偏光光に、また反対に円偏光光から直線偏光光に変換する作用を成すものである。
【００２６】
６は前記１／４波長板５を透過した第１レーザー光、第２レーザー光及び第３レーザー光が入射される対物レンズであり、第１光ディスクＤ１使用時には該第１光ディスクＤ１に設けられている信号記録層に第１レーザー光を集光させるとともに第２光ディスクＤ２使用時には該第２光ディスクＤ２に設けられている信号記録層に第２レーザー光を集光させ、且つ第３光ディスクＤ３使用時には該第３光ディスクＤ３に設けられている信号記録層に第３レーザー光を集光させるように構成されている。
【００２７】
前述した対物レンズ６には各波長のレーザー光に対して作用する回折輪帯等が形成されているとともに各光ディスクに対応した開口数を設定するための開口数設定素子等が設けられている。
【００２８】
斯かる構成において、３波長レーザーダイオード１から放射された第１レーザー光、第２レーザー光及び第３レーザー光は、回折格子２、裏面反射型ハーフミラー３、コリメートレンズ４及び１／４波長板５を介して対物レンズ６に入射された後、該対物レンズ６の集光動作によって第１光ディスクＤ１、第２光ディスクＤ２及び第３光ディスクＤ３に設けられている信号記録層に集光スポットとして照射されるが、各信号記録層に照射された第１レーザー光、第２レーザー光及び第３レーザー光は各信号記録層にて第１戻り光、第２戻り光及び第３戻り光として反射されることになる。
【００２９】
前記第１光ディスクＤ１から反射される第１戻り光は、対物レンズ６、１／４波長板５及びコリメートレンズ４を介して裏面反射型ハーフミラー３に入射されるが、斯かる第１戻り光は、前記１／４波長板５による位相変更動作によってＰ方向の直線偏光光に変更されている。従って、斯かる第１戻り光は前記裏面反射型ハーフミラー３の表面３Ａにて反射されることはなく、該表面３Ａを透過することになる。このようにして裏面反射型ハーフミラー３に入射される第１戻り光は、該裏面反射型ハーフミラー３の表面３Ａを透過するが、透過した後は裏面３Ｂにて図示したように反射され、その後表面３Ａを透過して３波長レーザーダイオード１から放射されるレーザー光と平行になる方向へ出射されるように構成されている。
【００３０】
７は前記裏面反射型ハーフミラー３の表面３Ａから出射された第１戻り光が入射される位置に設けられているアナモフィックレンズであり、前記裏面反射型ハーフミラー３にて生成される非点収差をフォーカスエラー信号の生成動作に適した大きさになるように拡大する作用を成すとともに該裏面反射型ハーフミラー３にて発生するＡＳ収差やコマ収差を補正する作用を成すように構成されている。８は前記アナモフィックレンズ７にて集光された第１戻り光が照射される位置に設けられている第１光検出器であり、図４に示すようにメインビームＭ１が照射されるとともに４分割されたメインビーム用受光部８Ｍ、サブビームＳ１及びＳ２が照射されるとともに光ディスクのトラック方向に２分割されたサブビーム用受光部８Ａ及び８Ｂが組み込まれている。
【００３１】
また、前記第２光ディスクＤ２から反射される第２戻り光及び第３光ディスクＤ３から反射される第３戻り光は、対物レンズ６、１／４波長板５及びコリメートレンズ４を介して裏面反射型ハーフミラー３に入射されるが、斯かる第２戻り光及び第３戻り光は、前記１／４波長板５による位相変更動作によってＰ方向の直線偏光光に変更されている。従って、斯かる第２戻り光及び第３戻り光は前記裏面反射型ハーフミラー３の表面３Ａにて反射されることはなく、該表面３Ａを透過することになる。このようにして裏面反射型ハーフミラー３に入射される第２戻り光及び第３戻り光は、該裏面反射型ハーフミラー３の表面３Ａを透過した後裏面３Ｂに照射されるが、該第２戻り光及び第３戻り光は裏面３Ｂにて反射されることなく透過出射されるように構成されている。
【００３２】
９は前記裏面反射型ハーフミラー３の裏面３Ｂから出射された第２戻り光及び第３戻り光が入射される位置に設けられているＡＳ板であり、前記裏面反射型ハーフミラー３にて生成される非点収差をフォーカスエラー信号の生成動作に適した大きさになるように拡大する作用を成すように構成されている。１０は前記ＡＳ板９を透過した第２戻り光及び第３戻り光が照射される位置に設けられている第２光検出器であり、図５に示すように第２戻り光を受光する第２戻り光用受光部１０２及び第３戻り光を受光する第３戻り光用受光部１０３が設けられている。
【００３３】
前述したように第２光検出器１０は第２戻り光用受光部１０２及び第３戻り光用受光部１０３が組み込まれているが、該第２戻り光用受光部１０２にはメインビームＭ２が照射されるとともに４分割されたメインビーム用受光部１０２Ｍが組み込まれ、第３戻り光用受光部１０３にはメインビームＭ３が照射されるとともに４分割されたメインビーム用受光部１０３Ｍ、サブビームＳ１及びＳ２が照射されるとともに光ディスクのトラック方向に２分割されたサブビーム用受光部１０３Ａ及び１０３Ｂが組み込まれている。
【００３４】
以上に説明したように本発明の光ピックアップ装置は構成されているが、次に斯かる構成の光ピックアップ装置の動作について説明する。
【００３５】
第１光ディスクＤ１に記録されている信号を読み出すための動作が行われると、３波長レーザーダイオード１に組み込まれている第１レーザー素子に駆動信号が供給され、該第１レーザー素子より第１波長の第１レーザー光が放射される。第１レーザー素子より放射された第１レーザー光は回折格子２によってＳ方向の直線偏光光に変換されるとともにメインビームと２つのサブビームに分離されて出射されることになる。
【００３６】
前記回折格子２から出射された第１レーザー光は裏面反射型ハーフミラー３の表面３Ａにて反射されてコリメートレンズ４に入射される。該コリメートレンズ４に入射された第１レーザー光は、平行光に変換された後に１／４波長板５に入射され、該１／４波長板５によって直線偏光光から円偏光光に変換される。前記１／４波長板５から出射された第１レーザー光は対物レンズ６に入射され、該対物レンズ６の集光動作によって第１光ディスクＤ１に設けられている信号記録層に所望のレーザースポットが生成される。
【００３７】
このようにして第１光ディスクＤ１に照射された第１レーザー光は、信号記録層から第１戻り光として反射されることになる。斯かる第１戻り光は対物レンズ６、１／４波長板５及びコリメートレンズ４を介して裏面反射型ハーフミラー３に入射される。このようにして裏面反射型ハーフミラー３に入射される第１戻り光は前述したように裏面反射型ハーフミラー３の裏面３Ｂにて反射された後アナモフィックレンズ７に入射されることになる。
【００３８】
アナモフィックレンズ７に入射された第１戻り光は第１光検出器８に照射されるが、第１戻り光を構成するメインビームＭ１及びサブビームＳ１、Ｓ２は図４に示すようにメインビーム用受光部８Ｍ、サブビーム用受光部８Ａ、８Ｂ上に照射されることになる。従って、メインビーム用受光部８Ｍから得られる信号から非点収差法によるフォーカス制御動作を行うためのフォーカスエラー信号を得ることが出来るとともにメインビーム用受光部８Ｍ及びサブビーム用受光部８Ａ、８Ｂから得られる信号から差動プッシュプル法によるトラッキング制御動作を行うトラッキングエラー信号を得ることが出来る。
【００３９】
このようにして得られるフォーカスエラー信号及びトラッキングエラー信号を利用してフォーカス制御動作及びトラッキング制御動作を行うことが出来るので第１光ディスクＤ１に記録されている信号の読み出し動作を行うことが出来るが、斯かる光ピックアップ装置における制御動作は周知であるのでその説明は省略する。
【００４０】
第１光ディスクＤ１に記録されている信号の読み出し動作を行う場合の動作は以上に説明したように行われるが、次に第２光ディスクＤ２に記録されている信号の読み出す場合の動作について説明する。
【００４１】
第２光ディスクＤ２に記録されている信号を読み出すための動作が行われると、３波長レーザーダイオード１に組み込まれている第２レーザー素子に駆動信号が供給され、該第２レーザー素子より第２波長の第２レーザー光が放射される。第２レーザー素子より放射された第２レーザー光は回折格子２によってＳ方向の直線偏光光に変換されるとともにメインビームが出射されることになる。
【００４２】
前記回折格子２から出射された第２レーザー光は裏面反射型ハーフミラー３の表面３Ａにて反射されてコリメートレンズ４に入射される。該コリメートレンズ４に入射された第２レーザー光は、平行光に変換された後に１／４波長板５に入射され、該１／４波長板５によって直線偏光光から円偏光光に変換される。前記１／４波長板５から出射された第２レーザー光は対物レンズ６に入射され、該対物レンズ６の集光動作によって第２光ディスクＤ２に設けられている信号記録層に所望のレーザースポットが生成される。
【００４３】
このようにして第２光ディスクＤ２に照射された第２レーザー光は、信号記録層から第２戻り光として反射されることになる。斯かる第２戻り光は対物レンズ６、１／４波長板５及びコリメートレンズ４を介して裏面反射型ハーフミラー３に入射される。このようにして裏面反射型ハーフミラー３に入射される第２戻り光は前述したように裏面反射型ハーフミラー３の裏面３Ｂを透過した後ＡＳ板９に入射されることになる。
【００４４】
ＡＳ板９に入射された第２戻り光は第２光検出器１０に照射されるが、メインビームＭ２は図５に示すように第２戻り光用受光部１０２を構成するインビーム用受光部１０２Ｍ上に照射されることになる。従って、メインビーム用受光部１０２Ｍから得られる信号から非点収差法によるフォーカス制御動作を行うためのフォーカスエラー信号を得ることが出来るとともに位相差法によるトラッキング制御動作を行うトラッキングエラー信号を得ることが出来る。
【００４５】
このようにして得られるフォーカスエラー信号及びトラッキングエラー信号を利用してフォーカス制御動作及びトラッキング制御動作を行うことが出来るので第２光ディスクＤ２に記録されている信号の読み出し動作を行うことが出来るが、斯かる光ピックアップ装置における制御動作は周知であるのでその説明は省略する。
【００４６】
第１光ディスクＤ１及び第２光ディスクＤ２に記録されている信号の読み出し動作を行う場合の動作は前述したように行われるが、次に第３光ディスクＤ３に記録されている信号の読み出し動作を行う場合の動作について説明する。
【００４７】
第３光ディスクＤ３に記録されている信号を読み出すための動作が行われると、３波長レーザーダイオード１に組み込まれている第３レーザー素子に駆動信号が供給され、該第３レーザー素子より第３波長の第３レーザー光が放射される。第３レーザー素子より放射された第３レーザー光は回折格子２によってＳ方向の直線偏光光に変換されるとともにメインビームと２つのサブビームに分離されて出射されることになる。
【００４８】
前記回折格子２から出射された第３レーザー光は裏面反射型ハーフミラー３の表面３Ａにて反射されてコリメートレンズ４に入射される。該コリメートレンズ４に入射された第３レーザー光は、平行光に変換された後に１／４波長板５に入射され、該１／４波長板５によって直線偏光光から円偏光光に変換される。前記１／４波長板５から出射された第３
レーザー光は対物レンズ６に入射され、該対物レンズ６の集光動作によって第３光ディスクＤ３に設けられている信号記録層に所望のレーザースポットが生成される。
【００４９】
このようにして第３光ディスクＤ３に照射された第３レーザー光は、信号記録層から第３戻り光として反射されることになる。斯かる第３戻り光は対物レンズ６、１／４波長板５及びコリメートレンズ４を介して裏面反射型ハーフミラー３に入射される。このようにして裏面反射型ハーフミラー３に入射される第３戻り光は前述したように裏面反射型ハーフミラー３の裏面３Ｂを透過した後ＡＳ板９に入射されることになる。
【００５０】
ＡＳ板９に入射された第３戻り光は第２光検出器１０に照射されるが、第３戻り光を構成するメインビームＭ３及びサブビームＳ１、Ｓ２は図５に示すようにメインビーム用受光部１０３Ｍ、サブビーム用受光部１０３Ａ、１０３Ｂ上に照射されることになる。従って、メインビーム用受光部８Ｍから得られる信号から非点収差法によるフォーカス制御動作を行うためのフォーカスエラー信号を得ることが出来るとともにメインビーム用受光部１０３Ｍ及びサブビーム用受光部１０３Ａ、１０３Ｂから得られる信号から差動プッシュプル法によるトラッキング制御動作を行うトラッキングエラー信号を得ることが出来る。
【００５１】
このようにして得られるフォーカスエラー信号及びトラッキングエラー信号を利用してフォーカス制御動作及びトラッキング制御動作を行うことが出来るので第３光ディスクＤ３に記録されている信号の読み出し動作を行うことが出来るが、斯かる光ピックアップ装置における制御動作は周知であるのでその説明は省略する。
【００５２】
以上に説明したように本発明の光ピックアップ装置における信号の読み出し動作は行われるが、次に３波長レーザーダイオード１の構成及び光ピックアップ装置の光学系との関係について説明する。
【００５３】
波長が４０５ｎｍの第１レーザー光を放射する第１レーザー素子、波長が６６０ｎｍの第２レーザー光を放射する第２レーザー素子及び波長が７８５ｎｍの第３レーザー光を放射する第３レーザー素子を１つのケースに収納するように構成された３波長レーザーダイオードでは、第２レーザー素子と第３レーザー素子をモノリシック型のレーザーダイオードにて製造し第１レーザー素子はハイブリッド型のレーザーダイオードにて製造されることが一般的である。
【００５４】
斯かる構成の３波長レーザーダイオードでは、第２レーザー素子と第３レーザー素子とは近接して配置させることが出来るとともにその間の距離を正確にすることが出来るが、第１レーザー素子と第２レーザー素子または第３レーザー素子との間の距離を正確且つ短くすることが出来ないという特性がある。
【００５５】
また、図３は対物レンズにおける像高特性、即ち、第１レーザー光(ａで示す)、第２レーザー光(ｂで示す)及び第３レーザー光(ｃで示す)の対物レンズに対する入射角度とコマ収差との関係を示すものであり、斯かる図より明らかなように第３レーザー光の特性が悪いことが分かる。
【００５６】
従って、本発明では、第１レーザー素子１ａ、第２レーザー素子１ｂ及び第３レーザー素子１ｃを図２に示すように配置させるとともに第３レーザー素子１ｃの光軸を対物レンズ６の光軸Ｘと一致するように配置させている。
【００５７】
図２に示すＬ１は第２レーザー素子１ｂと第３レーザー素子１ｃとの間の距離、Ｌ２は第３レーザー素子１ｃと第１レーザー素子１ａとの間の距離であり、前述したモノリシック型とハイブリッド型の特性相違から一般的にはＬ１＜Ｌ２の関係になる。
【００５８】
第２レーザー素子１ｂと第３レーザー素子１ｃとの間に存在する距離は、光学系の倍率を１とした場合には第２戻り光と第３戻り光の光軸間距離は前述したＬ１になる。従って、図５に示す第２戻り光用受光部１０２を構成するメインビーム用受光部１０２Ｍと第３戻り光用受光部１０３を構成するメインビーム用受光部１０３Ｍとの間の距離をＬ３としたとき、Ｌ１＝Ｌ３になるように第２光検出器１０に組み込まれる第２戻り光用受光部１０２と第３戻り光用受光部１０３とを構成すれば光軸補正素子を設ける必要もなく第２光検出器１０を第２レーザー光用の光検出器と第３レーザー光用の光検出器として兼用することが出来る。
【産業上の利用可能性】
【００５９】
本発明は、Ｂｌｕ−ｒａｙ規格の光ディスク、ＤＶＤ規格の光ディスク及びＣＤ規格の光ディスクに記録されている信号を読み出すための光ピックアップ装置だけでなく、その他の異なる規格の光ピックアップ装置にも応用することが出来る。
【符号の説明】
【００６０】
１      ３波長レーザーダイオード
２      回折格子
３      裏面反射型ハーフミラー
４      コリメートレンズ
６      対物レンズ
７      アナモフィックレンズ
８      第１光検出器
９      ＡＳ板
１０    第２光検出器
【図１】
2011129226.tif 000003
【図２】
2011129226.tif 000004
【図３】
2011129226.tif 000005
【図４】
2011129226.tif 000006
【図５】
2011129226.tif 000007